(57)【要約】【課題】窓枠内に建て込まれる引戸障子が、閉鎖方向に移動し閉鎖位置近傍に達した際に、この引戸障子に制動力を作用させる事のできる構造を実現する。【解決手段】窓枠の上辺を構成する上枠の下面に、その歯先面を下方に向けた状態で、ラックを支持固定する。又、ガラス障子１９ａを構成する召し合わせ框２５ａの上端部外側面に、ピニオン３４ａの回転軸を屋内外方向に水平に配置した状態で、制動装置本体３３ａを支持固定する。これにより、上記ガラス障子１９ａが閉鎖方向に移動して、閉鎖位置近傍に達した際に、上記ラックと上記ピニオン３４ａとを噛合させて、上記制動装置本体３３ａが備える抵抗付与手段の作用により、上記ガラス障子１９ａに制動力を作用させる。【選択図】図２
2009281041.tif 000002
【特許請求の範囲】
【請求項１】
窓開口に設けられた窓枠と、この窓枠内に水平移動自在に建て込まれた引戸障子と、この引戸障子が閉鎖方向に移動して閉鎖位置近傍に達した際に、この引戸障子に制動力を作用させる制動装置とを備えた制動装置付引戸装置であって、このうちの制動装置は、水平方向に配置されるラックと、このラックと噛合自在なピニオンを有し、このピニオンが上記引戸障子の閉鎖方向への移動に伴い回転する場合にのみ、このピニオンの回転抵抗を大きくする抵抗付与手段を備えた制動装置本体とから構成され、このうちの制動装置本体を、上記引戸障子の縦辺を構成する１対の竪框のうち、この引戸障子の閉鎖状態で上記窓枠の中央側に位置する竪框の上端部外側面に、上記ピニオンの回転軸を屋内外方向に水平に配置した状態で支持固定すると共に、上記ラックを、上記窓開口の上辺に固定された部材に、その歯先面を下方に向けた状態で支持固定している事を特徴とする制動装置付引戸装置。
【請求項２】
窓枠内に複数の引戸障子が引き違い式に建て込まれている、請求項１に記載した制動装置付引戸装置。
【請求項３】
ラックが、窓枠の上辺を構成する上枠の下面に支持固定されている、請求項１〜２のうちの何れか１項に記載した制動装置付引戸装置。
【請求項４】
窓枠の屋内側に水平移動自在に建て込まれた引戸障子に制動力を作用させる為の制動装置を構成するラックが、上記窓枠の上辺を構成する上枠よりも屋内側に、アタッチメントを介して支持固定されている、請求項１〜３のうちの何れか１項に記載した制動装置付引戸装置。
【発明の詳細な説明】
【技術分野】
【０００１】
本発明の制動装置付引戸装置は、窓枠と引戸障子との間に身体の一部が挟まる事を抑制したり、窓枠と引戸障子とが勢い良く衝突する事を防止する為に利用する。
【背景技術】
【０００２】
従来から、出入り口等の開口部と、この開口部を塞ぐ為の引戸との間に、手指等の身体の一部が挟まる事を抑制する手段が考えられている。例えば特許文献１〜６等には、上吊式の引戸（所謂吊戸）が閉鎖方向に移動した場合に、移動の終期でこの引戸の移動に対する制動力を発揮する、制動装置付引戸装置が記載されている。図９〜１０は、このうちの特許文献１に記載された、従来構造の制動装置付引戸装置の第１例を示している。この従来構造の第１例の場合、開口部１の上方にレール２を水平方向に配設すると共に、引戸障子３の上端面に、１対の吊車４、４をハンガー部材５、５を介して回転自在に支持している。そして、これら両吊車４、４を、上記レール２に対して上方から係合させる事により、上記引戸障子３の上端部をこのレール２に沿う平行移動（水平移動）自在に支持している。
【０００３】
又、従来構造の第１例の場合には、上記レール２よりも上方位置に、ラック６を水平方向に支持している。又、上記引戸障子３の上方位置で、この引戸障子３の一端側（図９の右側）に設けられたハンガー部材５には、上記ラック６と噛合自在なピニオン７を有する制動装置本体８を支持固定している。この制動装置本体８には、このピニオン７が所定方向に回転する場合にのみ、このピニオン７の回転抵抗を大きくする抵抗付与手段を設けている。具体的には、図１０に示す様に、このピニオン７を、一方向クラッチ９を介して、枢軸１０の一端部（図１０の上端部）に支持すると共に、この枢軸１０の他端部に、回転体１１を支持している。そして、この回転体１１の周囲に、上記抵抗付与手段として機能する、粘性流体１２を充填している。上記従来構造の第１例の場合には、上記ラック６と上記制動装置本体８とにより、制動装置１３を構成している。
【０００４】
特に、従来構造の第１例の場合には、上記ピニオン７が、上記引戸障子３の閉鎖方向への移動に伴う回転をした場合にのみ、このピニオン７の回転を上記枢軸１０（及び上記回転体１１）に伝達する様に、上記一方向クラッチ９の取付方向を規制している。この為、上記引戸障子３が閉鎖方向に移動し、上記ピニオン７が上記ラック６と噛合すると、上記回転体１１を上記粘性流体１２内で回転させる為、この回転体１１に作用する粘性抵抗により、上記ピニオン７の回転抵抗が増大する。この結果、上記引戸障子３が閉鎖方向に移動して、閉鎖位置近傍に達した際に、この引戸障子３に制動力を作用させる事ができる。反対に、上記ピニオン７が、上記引戸障子３の開放方向への移動に伴う回転をする場合には、このピニオン７を上記枢軸１０の周囲で空転させる為、上記引戸障子３が移動する事に対し制動力が作用する事はない。
【０００５】
又、上述した様な上吊式の引戸装置以外の引戸装置に制動装置を設けたものとしては、例えば特許文献７、８等に記載された構造が知られている。図１１は、このうちの特許文献７に記載された、従来構造の第２例の制動装置付引戸装置を示している。この従来構造の第２例の場合には、引戸障子３ａの上端部を、上枠１４の下面に形成された案内溝１５内に進入させる構成を採用しており、制動装置１３ａを、上記引戸障子３ａの上端面と、上記案内溝１５の下面との間の空間内に設けている。
【０００６】
具体的には、上記案内溝１５の下面に、その内側面にラック６ａを備えた断面コ字形の受部材１６を支持固定すると共に、上記引戸障子３ａの上端面に、このラック６ａと噛合自在なピニオン７ａを有する制動装置本体８ａを支持固定している。これにより、このピニオン７ａと上記ラック６ａとを、上記引戸障子３ａの表裏方向に噛合させる様にしている。特に、従来構造の第２例の場合には、この引戸障子３ａの上端面に凹部１７を形成し、この凹部１７内に上記制動装置本体８ａを上下移動自在に収納している。そして、上記従来構造の第２例の場合には、上記引戸障子３ａが閉鎖方向に移動し閉鎖位置近傍に達した場合にのみ、上記ピニオン７ａを上記凹部１７内から突出させる上下位置規制手段を設けている。この様に構成する従来構造の第２例の場合にも、上記ピニオン７ａと上記ラック６ａとが噛合した際には、上記制動装置本体８ａに備えた抵抗付与手段の作用により、上記ピニオン７ａの回転抵抗を大きくして、上記引戸障子３ａに制動力を作用させる。
【０００７】
ところで、従来から提案されている制動装置付引戸装置は何れも、前述した従来構造の第１例に示した様な上吊式の引戸装置を対象にするものや、上述した従来構造の第２例に示した様に、上枠と引戸障子の上端部との係合が簡易な構造で、これら上枠の下面と引戸障子の上端面との間に、大きな空間を確保できる引戸装置を対象にするものに限られている。更に、その多くが、引戸障子を閉鎖方向に付勢する自閉装置を備えた構造である。即ち、従来から提案されている制動装置付引戸装置は、制動装置を組み付ける為の空間を十分に確保できる構造で、しかも比較的軽量な引戸障子を対象にしている。
【０００８】
ところが、閉鎖動作を行う引戸障子は、軽量の引戸障子に比べて、重量の大きい引戸障子の方が、慣性質量が大きくなる為、閉鎖時に開口部に衝突した際の衝撃力は大きく、静粛性の面で問題を生じると共に、万一、開口部との間に手指等の身体の一部を挟んだ場合には、重大な負傷事故に繋がる可能性がある。この為、重量の大きい引戸障子の閉鎖時に於ける安全性、静粛性を十分に確保する為には、何らかの対策を施す事が望ましく、上述した様な制動装置により制動機能を発揮させる事が望まれる。特に、近年になって、窓枠に建て込まれる引戸障子は、その遮音性、高断熱性、耐風圧性等の向上を図ると共に、採光性を確保する為に大型のガラスパネルを使用する場合があり、その重量は増大する傾向にある。又、複層式のガラスパネルを使用する事によっても、引戸障子の重量は増加する。従って、この様な窓枠とこの窓枠内に建て込まれる引戸障子とから構成される引戸装置に関しても、制動装置を組み込む必要性が生じている。しかしながら、窓枠の上辺を構成する上枠と、引戸障子の上辺を構成する上框との間には、この引戸障子を案内する為の上部案内レールが設けられる等、制動装置を組み込む為の空間は限られており、従来構造の第１例及び第２例等の従来から知られた構造をそのまま利用して、引戸装置用の制動装置を組み込む事はできない。
【０００９】
【特許文献１】特開２００２−１２１９５９号公報
【特許文献２】特開２００２−４７８５９号公報
【特許文献３】特開２００２−１８８３５３号公報
【特許文献４】特開２００２−２５６７５９号公報
【特許文献５】特開２００５−５４４２２号公報
【特許文献６】特開２００５−３２０８５８号公報
【特許文献７】特開２００５−８３１１４号公報
【特許文献８】特開２００６−２００２９８号公報
【発明の開示】
【発明が解決しようとする課題】
【００１０】
本発明は、上述の様な事情に鑑みて、窓枠内に建て込まれる引戸障子が、閉鎖方向に移動し閉鎖位置近傍に達した際に、この引戸障子に制動力を作用させる事のできる構造を実現すべく発明したものである。
更に本発明は、他の種類の引戸装置に従来から使用されている制動装置をそのまま使用できる構造を実現すると共に、既に建造物に取り付けられた既存の引戸装置に適用できる構造を実現するものである。
【課題を解決するための手段】
【００１１】
本発明の制動装置付引戸装置は、窓開口に設けられた窓枠と、この窓枠内に水平移動自在に建て込まれた引戸障子と、この引戸障子が閉鎖方向に移動して閉鎖位置近傍に達した際に、この引戸障子に制動力を作用させる制動装置とを備える。
このうちの制動装置は、水平方向に配置されるラックと、このラックと噛合自在なピニオンを有し、このピニオンが上記引戸障子の閉鎖方向への移動に伴い回転する場合にのみ、このピニオンの回転抵抗を大きくする抵抗付与手段を備えた制動装置本体とから構成する。
【００１２】
特に、本発明の制動装置付引戸装置にあっては、上記制動装置本体を、上記引戸障子の縦辺を構成する１対の竪框のうち、この引戸障子の閉鎖状態で上記窓枠の中央側に位置する竪框（引き違い戸の場合には召し合わせ框）の上端部外側面（窓枠を構成する竪枠に対向する面）に、上記ピニオンの回転軸を屋内外方向に水平に配置した状態で支持固定している。又、上記ラックを、上記窓開口の上辺に固定された部材に、その歯先面を下方に向けた状態で支持固定している。
【００１３】
又、本発明を実施する場合には、例えば請求項２に記載した発明の様に、上記窓枠内に複数の引戸障子を引き違い式に建て込む構造を採用できる。
又、本発明を実施する場合には、例えば請求項３に記載した発明の様に、上記ラックを、上記窓枠の上辺を構成する上枠の下面に支持固定する事ができる。
更に、屋内側に水平移動自在に建て込まれた引戸障子に制動力を作用させる為の制動装置を構成するラックに関しては、請求項４に記載した発明の様に、上記窓枠の上辺を構成する上枠よりも屋内側に、アタッチメントを介して支持固定する事もできる。
【発明の効果】
【００１４】
上述の様に構成する本発明によれば、窓開口に設けられる窓枠と、この窓枠内に建て込まれる引戸障子とから構成される引戸装置に、この引戸障子の閉鎖方向への移動を制動する為の制動装置を組み込む事ができる。即ち、本発明の場合には、引戸障子の縦辺を構成する１対の竪框のうち、この引戸障子の閉鎖状態で窓枠の中央側に位置する竪框の上端部外側面側の空間を有効に利用して、制動装置の組み付け性を確保している。この為、上記引戸障子が閉鎖方向に移動して閉鎖位置近傍に達した際に、この引戸障子に制動力を作用させる事ができる。従って、この引戸障子と窓枠との間に身体の一部が誤って挟まる事を抑制できると共に、これら引戸障子と窓枠とが勢い良く衝突する事を防止できる。この結果、重量の大きい引戸障子を使用する場合にも、閉鎖時に於ける安全性、静粛性を確保できる。
【発明を実施するための最良の形態】
【００１５】
［実施の形態の第１例］
図１〜３は、請求項１〜３に対応する、本発明の実施の形態の第１例を示している。本例の場合は、窓枠１８の内側に、それぞれが特許請求の範囲に記載した引戸障子である１対のガラス障子１９ａ、１９ｂを、引き違い式に建て込んでいる。このうちの窓枠１８は、上辺を構成する上枠２０と、下辺を構成する下枠２１と、左右の縦辺を構成する竪枠２２ａ、２２ｂとにより、矩形に構成している。これら各枠２０、２１、２２ａ、２２ｂは、それぞれアルミニウム合金の一体押し出し成形材製である。又、上記各ガラス障子１９ａ、１９ｂは、それぞれの上辺を構成する上框２３ａ、２３ｂと、同じく下辺を構成する下框２４ａ、２４ｂと、それぞれが左右の縦辺を構成する竪框である、召し合わせ框２５ａ、２５ｂ及び突き合わせ框２６ａ、２６ｂとにより、ガラスパネル２７ａ、２７ｂの四辺を囲んで成る。これら各框２３ａ、２３ｂ、２４ａ、２４ｂ、２５ａ、２５ｂ、２６ａ、２６ｂも、アルミニウム合金の一体押し出し成形材製である。このうちの召し合わせ框２５ａ、２５ｂは、上記ガラス障子１９ａ、１９ｂの閉鎖時に上記窓枠１８の中央に位置して、屋内外方向に亙り互いに対向する。これに対して上記各突き合わせ框２６ａ、２６ｂは、上記ガラス障子１９ａ、１９ｂの閉鎖時に上記窓枠１８の端部に位置して、上記各竪枠２２ａ、２２ｂに突き合わされる。
【００１６】
又、上記上枠２０の下面には、１対の上部案内レール２８ａ、２８ｂを、屋内外方向に離隔した状態で設けている。そして、上記各召し合わせ框２５ａ、２５ｂ及び突き合わせ框２６ａ、２６ｂの上端部に支持したガイドブロック２９ａ、２９ｂに形成したガイド溝３０ａ、３０ｂに上記各上部案内レール２８ａ、２８ｂを係合させている。この構成により、上記各ガラス障子１９ａ、１９ｂの上端部を、上記上枠２０に沿う平行移動自在に支持している。これに対して、上記下枠２１には、図示しない１対の下部案内レールを、屋内外方向に離隔した状態で設けている。そして、上記各ガラス障子１９ａ、１９ｂの下辺を構成する上記下框２４ａ、２４ｂの両端部近傍部分に設けられた図示しない戸車を、上記下部案内レールに係合させている。これにより、上記各ガラス障子１９ａ、１９ｂを、上記下枠２１の上方位置に、この下枠２１に沿った水平移動を自在に支持している。
以上の構成により、上記各ガラス障子１９ａ、１９ｂを上記窓枠１８の内側に、水平移動自在に建て込んでいる。
【００１７】
本例の場合、上述の様にして上記窓枠１８の内側に建て込まれた上記各ガラス障子１９ａ、１９ｂ毎に、制動装置３１ａ、３１ｂを設けている。そして、これら各ガラス障子１９ａ、１９ｂがそれぞれ閉鎖方向に移動し、閉鎖位置近傍に達した際に、上記各制動装置３１ａ、３１ｂにより、上記各ガラス障子１９ａ、１９ｂに制動力を作用させる様にしている。
【００１８】
上記各制動装置３１ａ、３１ｂは、それぞれ、前述した従来構造の制動装置１３、１３ａ（図８〜１０参照）と同様に、ラック３２ａ、３２ｂと、制動装置本体３３ａ、３３ｂとから構成される。このうちの制動装置本体３３ａ、３３ｂは、上記各ラック３２ａ、３２ｂと噛合自在なピニオン３４ａ、３４ｂと、これら各ピニオン３４ａ、３４ｂが上記各ガラス障子１９ａ、１９ｂの閉鎖方向への移動に伴い回転した場合にのみ、これら各ピニオン３４ａ、３４ｂの回転抵抗を大きくする抵抗付与手段とを備えている。尚、この様な機能を発揮できる抵抗付与手段の構造は特に限定しないが、例えば、前記図１０に示した様な、ピニオンと共に回転する回転体の周囲に粘性流体を充填する構造や、ピニオンと共に回転する回転体に、ばね等の弾性材を利用して摩擦部材を押し付ける等の構造を採用する事ができる。何れにしても、本例の場合には、上述の様な機能を発揮できる抵抗付与手段を、上記各制動装置本体３３ａ、３３ｂを構成する略円筒状のケース３５ａ、３５ｂの内側に収納している。
【００１９】
そして、上述の様な構成を有する上記各制動装置本体３３ａ、３３ｂを、上記各ガラス障子１９ａ、１９ｂを構成する前記各召し合わせ框２５ａ、２５ｂの上端部外側面（竪枠２２ｂ、２２ａに対向する面）に、上記各ピニオン３４ａ、３４ｂの回転軸を屋内外方向に水平に配置した状態で支持固定している。この為に、本例の場合には、上記各召し合わせ框２５ａ、２５ｂの上端部外側面に、略Ｌ字形の取付ブラケット３６ａ、３６ｂのうちの基板部３７、３７を、１対ずつのねじ３８、３８によりねじ止め固定し、これら各取付ブラケット３６ａ、３６ｂのうちの支持板部３９、３９に、上記各制動装置本体３３ａ、３３ｂを結合固定している。具体的には、上記各ケース３５ａ、３５ｂの背面の一部（下半部）を上記各支持板部３９、３９に当接させた状態で、これら各ケース３５ａ、３５ｂから下方に延出する状態で設けられた取付フランジ部４０ａ、４０ｂを、１対ずつのねじ４１、４１によりねじ止め固定している。この様な構成により、上記各制動装置本体３３ａ、３３ｂを、上記各ピニオン３４ａ、３４ｂの回転軸を屋内外方向に水平に配置した状態で、上記各召し合わせ框２５ａ、２５ｂの上端部外側面に支持固定している。
【００２０】
尚、本例の場合には、上記各召し合わせ框２５ａ、２５ｂに対する上記各取付ブラケット３６ａ、３６ｂの結合強度を高めるべく、これら各召し合わせ框２５ａ、２５ｂの内側に、補強板４２ａ、４２ｂをそれぞれ設けている。又、これら各召し合わせ框２５ａ、２５ｂに対する上記各取付ブラケット３６ａ、３６ｂの取付位置を、上下方向に調整自在とするべく、上記各ねじ３８、３８を挿通する為に、上記各召し合わせ框２５ａ、２５ｂに形成する通孔を、上下方向に長い長孔としている。
【００２１】
一方、前記各制動装置３１ａ、３１ｂを構成する前記各ラック３２ａ、３２ｂは、断面略Ｔ字形で、その全長は３０〜４０ｃｍ程度である。そして、本例の場合には、これら各ラック３２ａ、３２ｂを、一端部を前記上枠２０の長さ方向中央部に、他端部を上記各ガラス障子１９ａ、１９ｂの開放方向に、それぞれ位置させた状態で、上記上枠２０の下面に、それぞれの歯先面を下方に向けた状態で支持固定している。
【００２２】
この為に、本例の場合には、上記上枠２０の下面のうち、前記各上部案内レール２８ａ、２８ｂよりも屋内側部分に、あり溝状の係止溝４３ａ、４３ｂを設けている。そして、これら各係止溝４３ａ、４３ｂ内に、上記各ラック３２ａ、３２ｂの基端部（上端部）を係止する事により、これら各ラック３２ａ、３２ｂを、それぞれの歯先面を下方に向けた状態で支持固定している。尚、上記各係止溝４３ａ、４３ｂに対する上記各ラック３２ａ、３２ｂの固定方法は特に限定しないが、例えば、これら各ラック３２ａ、３２ｂの基端部をかしめ固定する事により、或は、上記各係止溝４３ａ、４３ｂのうち、上記各ラック３２ａ、３２ｂの長さ方向両側部分に、図示しない阻止部材を支持する事により、これら各ラック３２ａ、３２ｂが、上記各係止溝４３ａ、４３ｂ内で前記各ガラス障子１９ａ、１９ｂの開閉方向に変位しない様にする。
【００２３】
以上の説明の通り、本例の場合には、上記各召し合わせ框２５ａ、２５ｂの上端部外側面側の空間を有効に利用する事により、前記各制動装置３１ａ、３１ｂの組み付け性を確保できる。この為、上記各ガラス障子１９ａ、１９ｂが閉鎖方向に移動して、閉鎖位置近傍に達した際には、上記各ラック３２ａ、３２ｂと上記各ピニオン３４ａ、３４ｂとが噛合して、抵抗付与手段の作用により回転抵抗の大きくなったこれら各ピニオン３４ａ、３４ｂを回転させる。これにより、上記各ガラス障子１９ａ、１９ｂを構成する前記各突き合わせ框２６ａ、２６ｂが、前記窓枠１８を構成する前記各竪枠２２ａ、２２ｂの近傍に達した状態から完全に閉鎖する迄の間、上記各ガラス障子１９ａ、１９ｂに制動力を作用させる事ができる。従って、本例の場合には、これら各ガラス障子１９ａ、１９ｂと上記窓枠１８を構成する上記各竪枠２２ａ、２２ｂとの間に、身体の一部が、万一挟まれる事を有効に抑制できると共に、上記各ガラス障子１９ａ、１９ｂと上記各竪枠２２ａ、２２ｂとが勢い良く衝突する事を防止できる。この結果、本例の様に、複層のガラスパネル２７ａ、２７ｂを組み込む事で重量の嵩むガラス障子１９ａ、１９ｂを使用する場合にも、閉鎖時に於ける安全性、静粛性を十分に確保できる。
【００２４】
又、本例の場合には、前記各制動装置本体３３ａ、３３ｂを、前記各取付ブラケット３６ａ、３６ｂを介して、上記各召し合わせ框２５ａ、２５ｂの上端部外側面に支持固定している為、上記各制動装置本体３３ａ、３３ｂとして、従来から他の種類の引戸装置に使用されているものをそのまま使用する事ができる。言い換えれば、本例の場合には、専用の制動装置本体３３ａ、３３ｂを用意（設計、開発）する必要がなく、既存のものをそのまま利用できる。
【００２５】
更に、本例の場合には、屋内側のガラス障子１９ａに支持固定された制動装置本体３３ａと、屋外側のガラス障子１９ｂに支持固定された制動装置本体３３ｂとで、抵抗付与手段により回転抵抗を大きくするピニオン３４ａ、３４ｂの回転方向を互いに同じにできる。この為、屋内側のガラス障子１９ａと屋外側のガラス障子１９ｂとで、共通の制動装置本体を使用する事ができる。従って、部品種類の削減による低コスト化を図れると共に、これら制動装置本体の誤組み付けをなくす事ができて、組み付け作業の効率の向上を図れる。
【００２６】
又、本例の場合には、上記上枠２０の下面に支持固定された上記各ラック３２ａ、３２ｂと、上記各ピニオン３４ａ、３４ｂとを上下方向に噛合させている為、取付ブラケット３６ａ、３６ｂを含めた制動装置３１ａ、３１ｂの屋内外方向に関する設置スペースを小さく抑える事ができる。具体的には、屋内側に配置された制動装置３１ａ及び屋外側に配置された制動装置３１ｂを、１００mm程度の寸法内に収める事ができる。
【００２７】
尚、本例の場合には、図１の（Ａ）に示す様に、屋内側の引戸障子１９ａに支持固定された制動装置本体３３ａの上記召し合わせ框２５ａの外側面からの突出量（Ｌ33a ）を、この制動装置本体３３ａの下方に設けられた、クレセント４４の突出量（Ｌ44）よりも小さくしている（Ｌ33a ＜Ｌ44）。これにより、上記ガラス障子１９ａを開放方向に移動させた際に、上記召し合わせ框２５ａが、図示しないクレセントストッパ部材に当接するよりも先に、上記制動装置本体３３ａが、前記竪枠２２ｂに当接（衝突）する事を防止している。一方、屋外側の引戸障子１９ｂに支持固定された制動装置本体３３ｂに就いては、専用のストッパ部材を設ける等により、上記引戸障子１９ｂを開放方向に移動させた際に、上記制動装置本体３３ｂが前記竪枠２２ａに当接（衝突）する事を防止する様にする。
【００２８】
又、図１に示す様に（図２、３には図示省略）、本例の場合には、上記各制動装置本体３３ａ、３３ｂの上部空間以外を覆う状態で、カバー４５、４５を取り付けている。この為、上記各ピニオン３４ａ、３４ｂ（の下方部分）に、身体の一部（主として頭部）が接触する（或いは頭髪が絡み付く）事を防止できる。又、上記各ガラス障子１９ａ、１９ｂの外観及び体裁を良好に確保できる共に、屋内側に配置された上記ピニオン３４ａに、カーテン等が巻き込まれる事を防止する事もできる。尚、上記各カバー４５、４５は、前記各取付ブラケット３６ａ、３６ｂに対して取り付ける事もできるし、上記各制動装置本体３３ａ、３３ｂを構成する前記各ケース３５ａ、３５ｂに対して直接取り付ける事もできる。
【００２９】
［実施の形態の第２例］
図４は、請求項１、４に対応する、本発明の実施の形態の第２例を示している。本例は、屋外側のガラス障子１９ｂを嵌め殺しとし、屋内側のガラス障子１９ａのみを水平移動自在に建て込んで成る、所謂片引き障子に、本発明を適用した場合に就いて示している。尚、本例の特徴は、屋内側のガラス障子１９ａに制動力を作用させる為の制動装置３１ａを構成するラック３２ａの取付構造にある。その他の構成及び作用は、上述した実施の形態の第１例、及び、従来から知られた構造とほぼ同様であるから、重複する図示並びに説明は省略若しくは簡略にし、以下、本例の特徴部分に就いて説明する。
【００３０】
本例の場合、上記制動装置３１ａを構成する、断面略Ｔ字形のラック３２ａを、上枠２０ａの屋内側に配置された木製の額縁４６に、ラック取付用アタッチメント４７を介して支持固定している。この為に本例の場合には、上記上枠２０ａの屋内側面に設けられた突出板部４８に、断面クランク形のステー５０を、ねじ４９ａにより下方からねじ止め固定した後、上記ラック取付用アタッチメント４７を、上記ステー５０と上記額縁４６とに、それぞれねじ４９ｂ、４９ｃにより下方からねじ止め固定している。そして、上記ラック取付用アタッチメント４７の下面に設けられた、あり溝状の係止溝４３ｃ内に、上記ラック３２ａの基端部を係止している。
【００３１】
又、本例の場合にも、上記ラック３２ａの基端部をかしめ固定する事により、或は、このラック３２ａの長さ方向両側部分に、図示しない阻止部材を支持する事により、このラック３２ａが、上記係止溝４３ｃ内で上記ガラス障子１９ａの閉鎖方向に変位しない様にしている。尚、本例の場合には、上記ラック取付用アタッチメント４７として、アルミニウム合金の一体押し出し成形材製で、その長さ寸法が、上記上枠２０ａの全長とほぼ等しいものを使用している。但し、上記ラック３２ａの長さ寸法（約３０〜４０ｃｍ）よりも僅かに大きいものを使用する事もできる。
【００３２】
又、本例の場合には、上記ラック３２ａの取付位置に合わせて、制動装置本体３３ａを、上述した実施の形態の第１例の場合に比べ、下方に、且つ、屋内側にずらした状態で、召し合わせ框２５ａの上端部外側面に支持固定している。
【００３３】
上述の様な構成を有する本例の場合には、制動装置３１ａを構成する上記ラック３２ａを、上記ラック取付用アタッチメント４７を介して、上記額縁４６に支持固定する事ができる為、上記上枠２０ａとして、その下面にラックを支持する為の係止溝が設けられていないものを使用できる。この為、既に建造物に取り付けられた既存の上枠を備えた引戸装置に、制動装置を取り付ける事ができる。
その他の構成及び作用は、上述した実施の形態の第１例の場合と同様である。
【産業上の利用可能性】
【００３４】
上述した実施の形態の第２例では、所謂片引き式の構造を採用した場合に、屋内側の引戸障子に制動力を作用させる為の制動装置を構成するラックを、ラック取付用アタッチメントを介して支持固定する構造を示した。但し、所謂引き違い式の構造を採用した場合にも、図５〜７に示す様に、屋内側の引戸障子に制動力を作用させる為の制動装置を構成するラックを、ラック取付用アタッチメントを利用して支持する事ができる。尚、この場合に、屋外側の引戸障子に制動力を作用させる為の制動装置を構成するラックに就いては、前述した実施の形態の第１例の場合と同様に、上枠２０の下面に設けられた係止溝４３ｂ内に支持固定する。
【００３５】
更に、上述した実施の形態の第２例では、上枠２０の突出板部４８に対して、下方からねじ止め固定されたステー５０を利用して、ラック取付用アタッチメント４７を、木製の額縁４６に組み付ける構造を示した。但し、このラック取付用アタッチメント４７は、額縁４６以外にも、例えば上記図５の（ａ）に示す様な膳板５１や、同図の（ｂ）に示す様なカーテンボックス５２に対して組み付ける事もできる。又、上記図６の（ａ）〜（ｃ）に示す様に、上枠２０を構成する突出板部４８に対して、ステー５０を上方からねじ止め固定する構造を採用する事もできる。
【００３６】
又、ラック取付用アタッチメントの別の構成としては、例えば図７の（ａ）〜（ｃ）に示す様な構成を採用する事ができる。この図７の（ａ）には、ステー５０の先端部に、ラック取付用アタッチメント４７の上面に設けた係合部５３を係合させる構成を示している。この様な構成によれば、上記ステー５０に対してねじ止め固定する以前の状態で、上記ラック取付用アタッチメント４７をこのステー５０に一時的に支持する事ができる。又、同図の（ｂ）には、ラック取付用アタッチメント４７の係止溝４３ｃの底部を下方から挿通したねじ５４により、突出板部４８に直接ねじ止め固定する構成を示している。この様な構成によれば、ラック取付用アタッチメント４７の取付作業を簡易にする事ができる。更に、同図の（ｃ）には、ラック取付用アタッチメント４７とは独立した別の係止部材５５にラック３２ａの基端部を係止し、この係止部材５５をこのラック取付用アタッチメント４７にねじ止め固定する構成を示している。この様な構成によれば、ラック３２ａの取付作業を容易にする事ができる。更に、図８に示した様に、ステー５０の先端部に、ラック取付用アタッチメント４７の上面に設けた係合部５３ａを、単に係合させる構成を採用する事もできる。この様な構成によれば、ねじ（４９ｂ）が不要になる事による作業効率の向上、及び、コスト低減を図れると共に、室内側からねじ（ねじの頭部）が見えなくなる為、室内景観の向上も図る事ができる。
【図面の簡単な説明】
【００３７】
【図１】本発明の実施の形態の第１例の制動装置付引戸装置を、（Ａ）は屋内側から見た状態で、（Ｂ）は屋外側から見た状態で、それぞれ示す略正面図。
【図２】屋内側及び屋外側のガラス障子をそれぞれ閉鎖位置に移動した状態で、これら各ガラス障子を構成する各召し合わせ框への制動装置本体の取付状態を示す平面図。
【図３】屋内側及び屋外側のガラス障子を構成する各召し合わせ框への制動装置本体の取付状態を、図２の左方から見た状態で示す側面図。
【図４】本発明の実施の形態の第２例を示す、図３と同様の図。
【図５】上枠の屋内側に額縁以外の部材を配置した場合のラック取付用アタッチメントの取付構造の２例を示す断面図。
【図６】突出板部に対するステーの別の取付方法の３例を示す断面図。
【図７】ラック取付用アタッチメントの別の構成の３例を示す断面図。
【図８】ラック取付用アタッチメントのステーに対する取付構造の別例を示す断面図。
【図９】従来構造の第１例を示す、制動装置付引戸装置の正面図。
【図１０】制動装置本体を取り出して示す断面図。
【図１１】従来構造の第２例を示す、制動装置付引戸装置の部分斜視図。
【符号の説明】
【００３８】
１    開口部
２    レール
３、３ａ  引戸障子
４    吊車
５    ハンガー部材
６、６ａ  ラック
７、７ａ  ピニオン
８、８ａ  制動装置本体
９    一方向クラッチ
１０    枢軸
１１    回転体
１２    粘性流体
１３、１３ａ  制動装置
１４    上枠
１５    案内溝
１６    受部材
１７    凹部
１８    窓枠
１９ａ、１９ｂ  ガラス障子
２０、２０ａ  上枠
２１    下枠
２２ａ、２２ｂ  竪枠
２３ａ、２３ｂ  上框
２４ａ、２４ｂ  下框
２５ａ、２５ｂ  召し合わせ框
２６ａ、２６ｂ  突き合わせ框
２７ａ、２７ｂ  ガラスパネル
２８ａ、２８ｂ  上部案内レール
２９ａ、２９ｂ  ガイドブロック
３０ａ、３０ｂ  ガイド溝
３１ａ、３１ｂ  制動装置
３２ａ、３２ｂ  ラック
３３ａ、３３ｂ  制動装置本体
３４ａ、３４ｂ  ピニオン
３５ａ、３５ｂ  ケース
３６ａ、３６ｂ  取付ブラケット
３７    基板部
３８    ねじ
３９    支持板部
４０ａ、４０ｂ  取付フランジ部
４１    ねじ
４２    補強板
４３ａ、４３ｂ、４３ｃ  係止溝
４４    クレセント
４５    カバー
４６    額縁
４７    ラック取付用アタッチメント
４８    突出板部
４９ａ、４９ｂ、４９ｃ  ねじ
５０    ステー
５１    膳板
５２    カーテンボックス
５３、５３ａ    係合部
５４    ねじ
５５    係止部材
【図１】
2009281041.tif 000003
【図２】
2009281041.tif 000004
【図３】
2009281041.tif 000005
【図４】
2009281041.tif 000006
【図５】
2009281041.tif 000007
【図６】
2009281041.tif 000008
【図７】
2009281041.tif 000009
【図８】
2009281041.tif 000010
【図９】
2009281041.tif 000011
【図１０】
2009281041.tif 000012
【図１１】
2009281041.tif 000013